(57)【要約】【課題】  所望の設定項目について設定されている設定値の確認と、設定値を変更するための処理とを同様の操作によって簡単に区別して行なうことができるようにする。【解決手段】  制御部１０は、タッチパネル１６Ａを介して、ショートカットキー３３に対するタップ操作を受付けると、ショートカットキー３３に対応付けられている設定項目について設定されている設定値を示す設定項目キー４１Ｉが第１領域３１に表示されるまで、リスト画像４０を方向Ｘにスクロールさせる。制御部１０はまた、タッチパネル１６Ａを介して、ショートカットキー３３に対する再度のタップ操作を受付けた場合に、ショートカットキー３３に対応付けられている設定項目についての設定値を変更するための処理を実行する。【選択図】図２
2020204960.tif 000002
【特許請求の範囲】
【請求項１】
表示部と、
タッチパネルと、
制御部と、を備え、
前記制御部は、
前記表示部に、複数の設定値のうちのいずれかを設定可能に構成されている複数の設定項目についてそれぞれ設定されている設定値をそれぞれ示す複数の部分画像が予め定められている方向に沿って並んでいる画像の一部分を、予め定められている第１領域に表示させるとともに、前記複数の設定項目のうち、予め定められている設定項目に対応付けられているショートカットキーを、前記第１領域とは異なる第２領域に表示させ、
前記タッチパネルを介して、前記ショートカットキーに対する操作を受付けると、前記複数の部分画像のうち、前記予め定められている設定項目について設定されている前記設定値を示す部分画像が前記第１領域に表示されるまで、前記画像を前記予め定められている方向にスクロールさせ、
前記タッチパネルに対する他の操作を受付けることなく、前記タッチパネルを介して、前記ショートカットキーに対する再度の操作を受付けた場合に、前記予め定められている設定項目についての設定値を変更するための処理を実行する、情報処理装置。
【請求項２】
前記制御部は、前記予め定められている設定項目が二つの設定値のうちのいずれかを設定可能に構成されている場合に、前記設定値を変更するための処理として、前記予め定められている設定項目について設定されている設定値を、前記再度の操作を受付けた時点において設定されている設定値とは異なる設定値に変更する、請求項１に記載の情報処理装置。
【請求項３】
前記制御部は、
前記予め定められている設定項目が三つ以上の設定値のうちのいずれかを設定可能に構成されている場合に、前記設定値を変更するための処理として、前記表示部に、前記三つ以上の設定値のうちのいずれかを選択するための画面を表示させ、
前記タッチパネルを介して、前記三つ以上の設定値のうちのいずれかを選択するための指示を受付けると、前記予め定められている設定項目について設定されている設定値を、受付けた前記指示によって選択されている設定値に変更する、請求項１又は請求項２に記載の情報処理装置。
【請求項４】
前記制御部は、前記画像を前記スクロールさせているとき、又は、前記スクロールが終了した後のいずれであっても、前記タッチパネルを介して、前記ショートカットキーに対する再度の操作を受付けた場合には、前記設定値を変更するための処理を実行する、請求項１乃至請求項３のいずれかに記載の情報処理装置。
【発明の詳細な説明】
【技術分野】
【０００１】
本発明は、情報処理装置に関し、特に、設定値を変更するための技術に関する。
【背景技術】
【０００２】
ショートカットキーを用いて、ショートカットキーに対応付けられている処理を実行する技術が開示されている。例えば、特許文献１には、ショートカットキーに対する操作が行われた場合に、所望の設定項目についての設定値を、ショートカットキーに対応付けられている設定値に変更する技術が開示されている。
【先行技術文献】
【特許文献】
【０００３】
【特許文献１】特開２０１８−１８６４０１号公報
【発明の概要】
【発明が解決しようとする課題】
【０００４】
所望の設定項目について設定されている設定値の確認を行なうために行われるユーザーの操作と、設定値の変更を行なうために行われるユーザーの操作とは異なっていると、ユーザーにとって使い勝手が悪いという問題がある。
【０００５】
特許文献１に開示されている技術では、ショートカットキーに対する操作を行なうことによって設定値の変更が行なわれるものの、上記した問題を解決することはできない。
【０００６】
本発明は、上記の事情に鑑みなされたものであり、所望の設定項目について設定されている設定値の確認と、設定値を変更するための処理と、を同様の操作によって簡単に区別して行なうことができるようにすることを目的とする。
【課題を解決するための手段】
【０００７】
本発明の一局面に係る情報処理装置は、表示部と、タッチパネルと、制御部と、を備えている。制御部は、表示部に、複数の設定値のうちのいずれかを設定可能に構成されている複数の設定項目についてそれぞれ設定されている設定値をそれぞれ示す複数の部分画像が予め定められている方向に沿って並んでいる画像の一部分を、予め定められている第１領域に表示させるとともに、複数の設定項目のうち、予め定められている設定項目に対応付けられているショートカットキーを、第１領域とは異なる第２領域に表示させる。制御部は、タッチパネルを介して、ショートカットキーに対する操作を受付けると、複数の部分画像のうち、予め定められている設定項目について設定されている設定値を示す部分画像が第１領域に表示されるまで、画像を予め定められている方向にスクロールさせる。制御部は、タッチパネルに対する他の操作を受付けることなく、タッチパネルを介して、ショートカットキーに対する再度の操作を受付けた場合に、予め定められている設定項目についての設定値を変更するための処理を実行する。
【発明の効果】
【０００８】
本発明によれば、ユーザーは、ショートカットキーに対する操作を一回行なうだけで、所望の設定項目について設定されている設定値を表示部に表示させて確認することができる。ユーザーはまた、ショートカットキーに対する操作を繰り返して行なうだけで、所望の設定項目について設定されている設定値を変更するための処理を実行できる。したがって、ユーザーは、所望の設定項目について設定されている設定値の確認と、設定値を変更するための処理と、を同様の操作によって簡単に区別して行なうことができる。
【図面の簡単な説明】
【０００９】
【図１】画像形成装置の内部構成を示すブロック図である。
【図２】設定値変更処理を示すフローチャートである。
【図３】設定画面の一例を示す図である。
【図４】リスト画像の一例を示す図である。
【図５】ショートカットキーに対するタップ操作が行なわれた場合の設定画面の一例を示す図である。
【図６】ショートカットキーに対するタップ操作が行なわれた場合の設定画面の他の一例を示す図である。
【図７】選択画面の一例を示す図である。
【図８】選択画面の他の一例を示す図である。
【発明を実施するための形態】
【００１０】
以下、本発明の一実施形態に係る情報処理装置としての画像形成装置について図面を参照して説明する。図１は、画像形成装置の内部構成を示すブロック図である。図１を参照して、画像形成装置１は、ファクシミリ機能、コピー機能、プリンター機能、及びスキャナー機能等の複数の機能を有しているカラー複合機である。
【００１１】
画像形成装置１は、制御ユニット１００を含んでいる。制御ユニット１００は、プロセッサー、ＲＡＭ(Random Access Memory）、及びＲＯＭ（Read Only Memory）等を含んでいる。プロセッサーは、例えば、ＣＰＵ（Central Processing Unit）、ＭＰＵ（Micro Processing Unit）、又はＡＳＩＣ（Application Specific Integrated Circuit）等である。
【００１２】
制御ユニット１００は、ＲＯＭ又はＨＤＤ（Hard Disk Drive）１７に記憶されている制御プログラムが上記プロセッサーによって実行されることにより、制御部１０として機能する。なお、制御部１０は、上記制御プログラムに基づく動作によらず、ハード回路により構成されていてもよい。
【００１３】
制御ユニット１００は、画像読取部１１、画像形成部１２、定着部１３、給紙部１４、表示部１５、操作部１６、ＨＤＤ１７、搬送機構１８、画像処理部１９、画像メモリー２０、ファクシミリ通信部２１、及び通信部２２等と電気的に接続されている。
【００１４】
画像読取部１１は、原稿台に載置されている原稿を搬送する原稿搬送部と、原稿搬送部により搬送されてくる原稿又はプラテンガラスに載置されている原稿を光学的に読み取るスキャナーと、を含んでいるＡＤＦ（Auto Document Feeder）である。画像読取部１１は、光照射部により原稿を照射し、その反射光をＣＣＤ（Charge-Coupled Device）センサーで受光することによって、原稿を読み取って画像データを生成する。
【００１５】
画像形成部１２は、感光体ドラム、帯電装置、露光装置、現像装置、及び転写装置を含んでいる。画像形成部１２は、画像読取部１１によって生成された画像データ等に基づいて、給紙部１４から搬送されてくる記録紙に、トナー像によって構成されている画像を形成する。
【００１６】
定着部１３は、画像形成部１２によってトナー像が形成された記録紙を加熱及び加圧することによってトナー像を記録紙に定着させる。定着部１３によってトナー像が定着された記録紙は、排出トレイに排出される。
【００１７】
給紙部１４は、手差しトレイと、給紙カセットとを備えている。給紙部１４は、給紙カセットに収容されている記録紙、又は手差しトレイに載置されている記録紙を一枚ずつ引出して、画像形成部１２に向けて給紙する。
【００１８】
表示部１５は、液晶ディスプレイ等によって構成されている表示装置である。表示部１５は、画像形成装置１によって実行可能な各種機能に関する各種の画面を表示する。
【００１９】
操作部１６は、各種機能の実行の開始を指示するためのスタートキー等の複数のハードキーを含んでいる。操作部１６はまた、表示部１５に重ねて配置されているタッチパネル１６Ａを含んでいる。ユーザーは、操作部１６を介して、画像形成装置１によって実行可能な各種機能についての指示等の各種の情報を入力する。
【００２０】
ＨＤＤ１７は、画像読取部１１によって生成された画像データ等の各種データを記憶するための大容量の記憶装置である。ＨＤＤ１７は、画像形成装置１の一般的な動作を実現するための各種制御プログラムを記憶している。ＨＤＤ１７は、各種制御プログラムの１つとして、本発明の一実施形態に係る設定値変更処理を実行するための設定値変更プログラムを記憶している。
【００２１】
搬送機構１８は、搬送ローラー対及び排出ローラー対等から構成されている。搬送機構１８は、排出先として設定されている排出トレイに向けて、記録紙を搬送路に沿って搬送する。
【００２２】
画像処理部１９は、画像読取部１１によって生成された画像データに対して、必要に応じて画像処理を実行する。
【００２３】
画像メモリー２０は、画像読取部１１によって生成された出力対象の画像データを一時的に記憶する領域を含む。
【００２４】
ファクシミリ通信部２１は、公衆回線への接続を行ない、公衆回線を介して画像データの送受信を行なう。
【００２５】
通信部２２は、ＬＡＮ(Local Area Network)ボード等の通信モジュールを含んでいる。画像形成装置１は、通信部２２を介して、ネットワークを介して接続されているＰＣ(Personal Computer)２３等とデータ通信を行なう。
【００２６】
画像形成装置１の各部には電源が接続されており、この電源から電力が供給されることによって、画像形成装置１の各部が動作する。
【００２７】
［動作］
図２は、設定値変更処理を示すフローチャートである。図３は、設定画面の一例を示す図である。図４は、設定画面に表示されているリスト画像の一例を示す図である。以下、図２乃至図４等を参照して、設定値変更処理の実行時における画像形成装置１の動作について説明する。
【００２８】
以下、画像形成装置１は、電源が投入されている状態であるものとする。ユーザーは、タッチパネル１６Ａを介して、コピー機能を選択するための指示を入力したものとする。図３を参照して、制御部１０は、タッチパネル１６Ａを介して上記指示を受付けると、表示部１５に、コピー機能に関する複数の設定項目についての設定を行なうための設定画面３０を表示させる。複数の設定項目はそれぞれ、複数の設定値のうちのいずれかを設定可能に構成されているものとする。
【００２９】
設定画面３０は、第１領域３１と、第１領域３１とは異なる第２領域３２とを含んでいる。第１領域３１は、図４に示すリスト画像４０を表示するための領域として予め定められている領域である。第２領域３２は、ソフトキーとしてのショートカットキーを表示するための領域として予め定められている領域である。
【００３０】
図４を参照して、リスト画像４０は、ソフトキーとして、予め定められている方向Ｘに沿って並んでいる複数の設定項目キー４１Ａ乃至４１Ｏ等を含んでいる。設定項目キー４１Ａ乃至４１Ｏ等は、それぞれ、設定項目キー４１Ａ乃至４１Ｏ等のそれぞれに対応付けられている設定項目を示す第１文字列と、第１文字列によって示されている設定項目について設定されている設定値を示す第２文字列と、を含んでいる。設定項目キー４１Ａ乃至４１Ｏ等は、特許請求の範囲における部分画像の一例である。
【００３１】
例えば、設定項目キー４１Ｉは、「ソート」という設定項目を示す第１文字列と、「オフ」という設定値を示す第２文字列と、を含んでいる。ここで、「ソート」という設定項目は、ソート機能が無効に設定されていることを示す「オフ」という設定値、及び、ソート機能が有効に設定されていることを示す「オン」という設定値のうちのいずれかを設定可能に構成されているものとする。ソート機能とは、頁順に並んでいる複写物を設定部数作成する機能を示す。
【００３２】
また、設定項目キー４１Ｊは、「両面印刷」という設定項目を示す第１文字列と、「片面から両面」という設定値を示す第２文字列と、を含んでいる。ここで、「両面印刷」という設定項目は、片面原稿を記録紙の片面にコピーすることを示す「片面から片面」という設定値、片面原稿を記録紙の両面にコピーすることを示す「片面から両面」という設定値、両面原稿を記録紙の両面にコピーすることを示す「両面から両面」という設定値、及び、両面原稿を記録紙の片面にそれぞれコピーすることを示す「両面から片面」という設定値のうちのいずれかを設定可能に構成されているものとする。
【００３３】
制御部１０は、リスト画像４０の全体を第１領域３１に一度に表示させることができない。したがって、制御部１０は、図３に示すように、表示部１１に、リスト画像４０全体のうち、第１領域３１に表示可能な一部分（以下、「表示部分」と記す。）４２のみを第１領域３１に表示させている。
【００３４】
制御部１０は、第１領域３１の近傍に、方向Ｘに沿って延びている本体３５Ａと、本体３５Ａに配置されているノブ３５Ｂと、を含んでいるスクロールバー３５を表示させている。制御部１０は、タッチパネル１６Ａを介して、ノブ３５Ｂに対する方向Ｘのスライド操作、又は、本体３５Ａにおけるノブ３５Ｂが配置されていない領域（以下、「本体部分」と記す。）に対するタップ操作を受付けると、リスト画像４０における上記スライド操作又は上記本体部分に対するタップ操作に対応する表示部分が表示されるまで、リスト画像４０を方向Ｘにスクロールさせる。
【００３５】
制御部１０は、設定項目キー４１Ａ乃至４１Ｏ等のそれぞれに対応付けられている設定項目のうち、ユーザーによる操作部１６を介した入力操作によって予め定められている設定項目に対応付けられているショートカットキーを第２領域３２に表示させている。この場合、制御部１０は、「ソート」という設定項目に対応付けられているショートカットキー３３と、「両面印刷」という設定項目に対応付けられているショートカットキー３４と、を第２領域３２に表示させている。
【００３６】
制御部１０は、表示部１５に設定画面３０を表示させると、設定値変更処理の実行を開始する。設定値変更処理において、制御部１０は、設定画面３０に表示されているショートカットキー３３又はショートカットキー３４に対するタップ操作が行なわれるまで待機している（ステップＳ１１にてＮＯ）。
【００３７】
（１）ショートカットキー３３に対するタップ操作が行なわれた場合
図５は、ショートカットキーに対するタップ操作が行なわれた場合の設定画面の一例を示す図である。図５を参照して、ユーザーは、設定画面３０を確認して、ショートカットキー３３に対するタップ操作を行なったものとする。タッチパネル１６Ａを介してショートカットキー３３に対するタップ操作を受付けると（ステップＳ１１にてＹＥＳ）、制御部１０は、ショートカットキー３３に対応付けられている設定項目について設定されている設定値を示す設定項目キー４１Ｉが第１領域３１に表示されるまで、リスト画像４０を方向Ｘにスクロールさせる（ステップＳ１２）。
【００３８】
リスト画像４０のスクロール後、制御部１０は、タッチパネル１６Ａに対するタッチ操作を受付けるまで待機している（ステップＳ１３にてＮＯ）。ここで、タッチ操作とは、タッチパネル１６Ａに対するタップ操作、フリック操作又はスワイプ操作等を示すものとする。
【００３９】
ユーザーは、第１領域３１に表示されている設定項目キー４１Ｉを確認して、ショートカットキー３３に対する再度のタップ操作を行なったものとする。タッチパネル１６Ａを介してショートカットキー３３に対するタップ操作を受付けると、制御部１０は、タッチパネル１６Ａに対するタッチ操作を受付けていると判定し（ステップＳ１３にてＹＥＳ）、受付けたタッチ操作が、ショートカットキー３３に対する再度のタップ操作であるか否かを判定する（ステップＳ１４）。
【００４０】
（１−１）タッチ操作が再度のタップ操作である場合
この場合、制御部１０は、受付けたタッチ操作が、ショートカットキー３３に対する再度のタップ操作であると判定し（ステップＳ１４にてＹＥＳ）、ショートカットキー３３に対応付けられている設定項目が、二つの設定値のうちのいずれかを設定可能に構成されているか否かを判定する（ステップＳ１５）。
【００４１】
ショートカットキー３３には、二つの設定値のうちのいずれかを設定可能に構成されている「ソート」という設定項目が対応付けられているので、制御部１０は、ショートカットキー３３に対応付けられている設定項目が、二つの設定値のうちのいずれかを設定可能に構成されていると判定し（ステップＳ１５にてＹＥＳ）、ショートカットキー３３に対応付けられている設定項目について設定されている設定値を、再度のタップ操作を受付けた時点において設定されている設定値とは異なる設定値に変更する（ステップＳ１６）。
【００４２】
この場合、再度のタップ操作を受付けた時点において、「ソート」という設定項目について、「オフ」という設定値が設定されているので、制御部１０は、「ソート」という設定項目についての設定値を、「オン」という設定値に変更する。設定値の変更後、制御部１０は、表示部１５に、設定項目キー４１Ｉにおける第２文字列を、「オフ」という設定値を示す文字列から、「オン」という設定値を示す文字列に変更させる（ステップＳ１７）。第２文字列の変更後、制御部１０は、ステップＳ１１の処理に戻る。
【００４３】
（１−２）タッチ操作が再度のタップ操作ではない場合
ユーザーは、第１領域３１に表示されている設定項目キー４１Ｉを確認して、ショートカットキー３３に対する再度のタップ操作を行なうことなく、スクロールバー３５のノブ３５Ｂに対する方向Ｘのスライド操作を行なったものとする。タッチパネル１６Ａを介してノブ３５Ｂに対するスライド操作を受付けると、制御部１０は、タッチパネル１６Ａに対するタッチ操作を受付けていると判定するとともに（ステップＳ１３にてＹＥＳ）、受付けたタッチ操作が、ショートカットキー３３に対する再度のタップ操作ではないと判定し（ステップＳ１４にてＮＯ）、ステップＳ１１の処理に戻る。なお、この場合、制御部１０は、ＨＤＤ１９に記憶されている、設定値変更プログラムとは異なる制御プログラムを実行することによって、リスト画像４０における上記スライド操作に対応する表示部分が表示されるまで、リスト画像４０を方向Ｘにスクロールさせる。
【００４４】
（２）ショートカットキー３４に対するタップ操作が行なわれた場合
図６は、ショートカットキーに対するタップ操作が行なわれた場合の設定画面の他の一例を示す図である。図６を参照して、ユーザーは、設定画面３０を確認して、ショートカットキー３４に対するタップ操作を行なったものとする。タッチパネル１６Ａを介してショートカットキー３４に対するタップ操作を受付けると（ステップＳ１１にてＹＥＳ）、制御部１０は、ショートカットキー３４に対応付けられている設定項目について設定されている設定値を示す設定項目キー４１Ｊが第１領域３１に表示されるまで、リスト画像４０を方向Ｘにスクロールさせる（ステップＳ１２）。
【００４５】
（２−１）タッチ操作が再度のタップ操作である場合
リスト画像４０のスクロール後、制御部１０は、タッチパネル１６Ａに対するタッチ操作を受付けるまで待機している（ステップＳ１３にてＮＯ）。ユーザーは、第１領域３１に表示されている設定項目キー４１Ｊを確認して、ショートカットキー３４に対する再度のタップ操作を行なったものとする。
【００４６】
タッチパネル１６Ａを介してショートカットキー３４に対するタップ操作を受付けると、制御部１０は、タッチパネル１６Ａに対するタッチ操作を受付けていると判定するとともに（ステップＳ１３にてＹＥＳ）、受付けたタッチ操作が、ショートカットキー３４に対する再度のタップ操作であると判定する（ステップＳ１４にてＹＥＳ）。
【００４７】
ショートカットキー３４には、四つの設定値のうちのいずれかを設定可能に構成されている「両面印刷」という設定項目が対応付けられているので、制御部１０は、ショートカットキー３４に対応付けられている設定項目が、二つの設定値のうちのいずれかを設定可能に構成されていないと判定し（ステップＳ１５にてＮＯ）、表示部１５に、四つの設定値のうちのいずれかを選択するための選択画面を表示させる（ステップＳ１８）。
【００４８】
図７は、選択画面の一例を示す図である。図７を参照して、選択画面７０は、ソフトキーとして、「片面から片面」という設定値を選択するための指示を入力するためのキー７１と、「片面から両面」という設定値を選択するための指示を入力するためのキー７２と、「両面から両面」という設定値を選択するための指示を入力するためのキー７３と、「両面から片面」という設定値を選択するための指示を入力するためのキー７４と、設定値を確定するための指示を入力するためのキー７５と、を含んでいる。このとき、制御部１０は、表示部１５に、キー７１乃至７５の表示色が全て同じ色になるようにキー７１乃至７５を表示させているものとする。
【００４９】
選択画面７０の表示後、制御部１０は、設定値を確定するための指示を受付けるまで待機している（ステップＳ１９にてＮＯ）。ユーザーは、選択画面７０を確認して、キー７３に対するタップ操作を行なったものとする。タッチパネル１６Ａを介してキー７３に対するタップ操作を受付けると、制御部１０は、表示部１５に、キー７３の表示色が、キー７１、キー７２、キー７４、及びキー７５の表示色とは異なる色となるように、キー７３の表示態様を変更させる。
【００５０】
ユーザーは、キー７３の表示色が変更されていることを確認して、キー７５に対するタップ操作を行なったものとする。タッチパネル１６Ａを介してキー７３に対するタップ操作を受付けると、制御部１０は、設定値を確定するための指示を受付けていると判定し（ステップＳ１９にてＹＥＳ）、ショートカットキー３４に対応付けられている設定項目について設定されている設定値を、受付けた指示によって選択されている設定値に変更する（ステップＳ２０）。
【００５１】
この場合、「両面から両面」という設定値が選択されているので、制御部１０は、「両面印刷」という設定項目についての設定値を、「片面から両面」という設定値から「両面から両面」という設定値に変更する。設定値の変更後、制御部１０は、ステップＳ１７の処理に進み、表示部１５に、設定項目キー４１Ｊにおける第２文字列を、「片面から両面」という設定値を示す文字列から、「両面から両面」という設定値を示す文字列に変更させる。第２文字列の変更後、制御部１０は、ステップＳ１１の処理に戻る。
【００５２】
（２−２）タッチ操作が再度のタップ操作ではない場合
ユーザーは、第１領域３１に表示されている設定項目キー４１Ｊを確認して、ショートカットキー３４に対する再度のタップ操作を行なうことなく、スクロールバー３５の本体部分に対するタップ操作を行なったものとする。タッチパネル１６Ａを介して本体部分に対するタップ操作を受付けると、制御部１０は、タッチパネル１６Ａに対するタッチ操作を受付けていると判定するとともに（ステップＳ１３にてＹＥＳ）、受付けたタッチ操作が、ショートカットキー３４に対する再度のタップ操作ではないと判定し（ステップＳ１４にてＮＯ）、ステップＳ１１の処理に戻る。なお、この場合、制御部１０は、ＨＤＤ１９に記憶されている、設定値変更プログラムとは異なる制御プログラムを実行することによって、リスト画像４０における上記本体部分に対するタップ操作に対応する表示部分が表示されるまで、リスト画像４０を方向Ｘにスクロールさせる。
【００５３】
上記実施形態によれば、制御部１０は、表示部１５に、リスト画像４０の表示部分４２を第１領域３１に表示させるとともに、ショートカットキー３３及びショートカットキー３４を、第２領域３２に表示させる。制御部１０は、タッチパネル１６Ａを介して、ショートカットキー３３又はショートカットキー３４に対するタップ操作を受付けると、ショートカットキー３３又はショートカットキー３４に対応付けられている設定項目について設定されている設定値を示す設定項目キー４１Ｉ又は設定項目キー４１Ｊが第１領域３１に表示されるまで、リスト画像４０を方向Ｘにスクロールさせる。
【００５４】
制御部１０はまた、タッチパネル１６Ａに対する他のタッチ操作を受付けることなく、タッチパネル１６Ａを介して、ショートカットキー３３又はショートカットキー３４に対する再度のタップ操作を受付けた場合に、ショートカットキー３３又はショートカットキー３４に対応付けられている設定項目についての設定値を変更するための処理を実行する。
【００５５】
これによって、ユーザーは、ショートカットキー３３又はショートカットキー３４に対するタップ操作を一回行なうだけで、所望の設定項目について設定されている設定値を表示部１５に表示させて確認することができる。ユーザーはまた、ショートカットキー３３又はショートカットキー３４に対するタップ操作を繰り返して行なうだけで、所望の設定項目について設定されている設定値を変更するための処理を実行できる。したがって、ユーザーは、所望の設定項目について設定されている設定値の確認と、設定値を変更するための処理とを同様の操作によって簡単に区別して行なうことができる。
【００５６】
また上記実施形態によれば、制御部１０は、ショートカットキー３３に対応付けられている設定項目が二つの設定値のうちのいずれかを設定可能に構成されている場合に、上記設定値を変更するための処理として、ショートカットキー３３に対応付けられている設定項目について設定されている設定値を、再度のタップ操作を受付けた時点において設定されている設定値とは異なる設定値に変更する。
【００５７】
これによって、ユーザーは、ショートカットキー３３に対するタップ操作を繰り返して行なうだけで、所望の設定項目について設定されている設定値を変更できる。したがって、ユーザーの利便性がより一層向上する。
【００５８】
また上記実施形態によれば、制御部１０は、ショートカットキー３４に対応付けられている設定項目が三つ以上の設定値のうちのいずれかを設定可能に構成されている場合に、表示部１５に選択画面７０を表示させ、タッチパネル１６Ａを介して、四つの設定値のうちのいずれかを選択するための指示を受付けると、ショートカットキー３４に対応付けられている設定項目について設定されている設定値を、受付けた指示によって選択されている設定値に変更する。
【００５９】
これによって、ユーザーは、ショートカットキー３４に対するタップ操作を繰り返して行なうだけで、所望の設定項目についての設定値を、四つの設定値のうちから選択できるようになる。したがって、ユーザーの利便性がより一層向上する。
【００６０】
（第１の変形例）
上記実施形態では、制御部１０は、ショートカットキー３３に対応付けられている設定項目が、二つの設定値のうちのいずれかを設定可能に構成されていると判定した場合には、表示部１５に選択画面の表示を行なわせることなく設定値の変更を行なったが、本発明はそのような実施形態に限定されない。
【００６１】
例えば、制御部１０は、ショートカットキー３３に対応付けられている設定項目が、二つの設定値のうちのいずれかを設定可能に構成されていると判定した場合には、表示部１５に、二つの設定値のうちのいずれかを選択するための選択画面を表示させる構成であってもよい。
【００６２】
図８は、選択画面の他の一例を示す図である。図８を参照して、選択画面８０は、ソフトキーとして、「オフ」という設定値を選択するための指示を入力するためのキー８１と、「オン」という設定値を選択するための指示を入力するためのキー８２と、設定値を確定するための指示を入力するためのキー８３と、を含んでいる。
【００６３】
このとき、制御部１０は、表示部１５に、キー８１乃至８３の表示色が全て同じ色になるようにキー８１乃至８３を表示させてもよいし、再度のタップ操作を受付けた時点において設定されている設定値とは異なる設定値を示すキー８２の表示色が、キー８１及びキー８３の表示色とは異なる色となるように、キー８２を表示させてもよい。
【００６４】
この場合、ユーザーによって、キー８１又はキー８２に対するタップ操作が行なわれることによって、タッチパネル１６Ａを介してキー８１又はキー８２に対するタップ操作を受付けると、制御部１０は、表示部１５に、タップ操作が行なわれたキー８１又はキー８２の表示色が、他の二つのキーの表示色とは異なる色となるように、キー８１又はキー８２の表示態様を変更させる。
【００６５】
キー８１又はキー８２の表示態様の変更後、ユーザーによって、さらにキー８３に対するタップ操作を行なわれることによって、タッチパネル１６Ａを介してキー８３に対するタップ操作を受付けると、制御部１０は、設定値を確定するための指示を受付けていると判定して、ショートカットキー３３に対応付けられている設定項目について設定されている設定値を、受付けた指示によって選択されている設定値に変更する。
【００６６】
第１の変形例によれば、ユーザーは、所望の設定項目が、二つの設定値のうちのいずれかを設定可能に構成されている場合においても、ショートカットキー３３に対するタップ操作を繰り返して行なうだけで、所望の設定項目についての設定値を、二つの設定値のうちから選択できるようになる。
【００６７】
（第２の変形例）
上記実施形態では、制御部１０は、リスト画像４０のスクロール後、タッチパネル１６Ａを介して、ショートカットキー３３又はショートカットキー３４に対する再度のタップ操作を受付けた場合に、設定値を変更するための処理を実行したが、本発明はそのような実施形態に限定されない。
【００６８】
例えば、制御部１０はさらに、リスト画像４０をスクロールさせているときに、タッチパネル１６Ａを介して、ショートカットキー３３又はショートカットキー３４に対する再度のタップ操作を受付けた場合に、設定値を変更するための処理を実行してもよい。
【００６９】
第２の変形例によれば、ユーザーはさらに、リスト画像４０のスクロールの終了を待つことなく、ショートカットキー３３又はショートカットキー３４に対するタップ操作を繰り返して行なうだけで、設定値を変更するための処理を実行することができる。したがって、ユーザーの利便性がさらに向上する。
【００７０】
（その他の変形例）
本発明は上記実施形態の構成に限られず種々の変形が可能である。例えば、上記実施形態では、本発明に係る情報処理装置としてカラー複合機を用いているが、これは一例に過ぎず、情報処理装置として、モノクロ複合機、プリンター、コピー機、又はファクシミリ装置等が用いられてもよい。
【００７１】
また、図１乃至図８を用いて上記実施形態により示した構成及び処理は、本発明の一実施形態に過ぎず、本発明を当該構成及び処理に限定する趣旨ではない。
【符号の説明】
【００７２】
１  画像形成装置
１０  制御部
１５  表示部
１６Ａ  タッチパネル
【図１】
2020204960.tif 000003
【図２】
2020204960.tif 000004
【図３】
2020204960.tif 000005
【図４】
2020204960.tif 000006
【図５】
2020204960.tif 000007
【図６】
2020204960.tif 000008
【図７】
2020204960.tif 000009
【図８】
2020204960.tif 000010